(57)【特許請求の範囲】
【請求項１】
他の通信装置を介してサーバ装置との間で通信を行う通信端末装置において、
表示部と、複数のキーを備えた操作部と、を有し、
前記サーバ装置において作成された操作情報を取得する操作情報取得手段と、
前記サーバ装置において作成された前記操作情報を、前記操作部の特定のキーに割り当てて、前記通信端末装置の特定の機能として設定する機能設定手段と、
前記サーバ装置において作成された前記操作情報に対応する表示画面情報を取得する表示画面情報取得手段と、を備え、
前記表示部は、前記機能設定手段が設定を行う際、取得した表示画面情報に基づいて前記操作情報に対応する表示を行うことを特徴とする通信端末装置。
【請求項２】
前記サーバ装置において作成された前記操作情報は、複数の機能のうちの前記特定の機能を選択したことに関する情報及び選択された前記特定の機能に対する入力内容に関する情報であることを特徴とする請求項１に記載の通信端末装置。
【請求項３】
前記通信端末装置に対して外部記憶手段が着脱可能であり、
前記サーバ装置において作成された前記操作情報を前記外部記憶手段に記憶させる記憶手段更に備えることを特徴とする請求項１又は２のいずれか１項に記載の通信端末装置。
【請求項４】
前記サーバ装置において作成された前記操作情報は、前記通信端末装置から送信された操作手順に基づいて作成されることを特徴とする請求項１乃至３のいずれか１項に記載の通信端末装置。
【発明の詳細な説明】
【技術分野】
【０００１】
本発明は、通信端末装置に関し、特に、通信端末装置の特定の操作手順に対応した機能（動作）を割り当てることができる通信端末装置に関する。
【背景技術】
【０００２】
通信装置は、所定の操作により他の通信装置との間で通信回線を設定し、音声、データ等を送受して通信を行う。特に、携帯電話機等の通信装置は、無線基地局との間に電波による通信回線を設定し、無線により音声、データ等を送受して通信を行うものであり、無線部（送信部、受信部等）の他、無線機全体を統括して制御する制御部を有している。使用者はこの制御部に対して操作部（キーボード）から指示をして、携帯電話機の動作を設定する。例えば、着信制限機能を設定して、特定の者（電話機）からの呼の着信を制限することができる。
【０００３】
また、近年の携帯電話機は多くの機能を有し、操作が複雑化していることから、使用者が任意に選択且つ書き換え可能な一つの機能を割り当てる機能割当キーを設けた携帯端末装置が提案されている。
【先行技術文献】
【特許文献】
【０００４】
【特許文献１】特開平９−１８９４５号公報
【発明の概要】
【発明が解決しようとする課題】
【０００５】
しかし、このような機能割当キーを設けても、この機能割当キーへ機能を割り当てて設定する操作が複雑であれば、取扱説明書を参照しながら操作しなければならず、機能割当キーが活用されないことがあった。また、一連の手順の操作を機能割当キーに割り当てるときは、携帯電話機では機能割当キー登録用プログラムが実行されているので、携帯電話機の操作部を操作しても、その操作に対応した通常の操作時と同様の画面が表示されず、使用者が操作手順を間違えても気がつかない問題があった。
【０００６】
本発明は、通信装置端末から送信された操作手順に基づいて作成された操作情報を、通信端末装置の特定の操作に割り当てて、その通信端末装置の機能として容易に設定することができる通信端末装置を提供することを目的とする。
【課題を解決するための手段】
【０００７】
第１の発明は、他の通信装置２２を介してサーバ装置２４との間で通信を行う通信端末装置２１において、表示部９と、複数のキーを備えた操作部１０と、を有し、サーバ装置２４において作成された操作情報を取得する操作情報取得手段と、サーバ装置２４において作成された操作情報を、操作部１０の特定のキーに割り当てて、通信端末装置２１の特定の機能として設定する機能設定手段と、を備える。
【０００８】
第２の発明は、サーバ装置２４において作成された操作情報に対応する表示画面情報を取得する表示画面情報取得手段を更に備え、表示部９は、機能設定手段が設定を行う際、取得した表示画面情報に基づいて操作情報に対応する表示を行うことを特徴とする。
【０００９】
第３の発明は、サーバ装置２４において作成された操作情報は、複数の機能のうちの特定の機能を選択したことに関する情報及び選択された特定の機能に対する入力内容に関する情報であることを特徴とする。
【００１０】
第４の発明は、通信端末装置２１に対して外部記憶手段が着脱可能であり、サーバ装置２４において作成された操作情報を前記外部記憶手段に記憶させる記憶手段更に備えることを特徴とする。
【００１１】
第５の発明は、サーバ装置２４において作成された操作情報は、通信端末装置２１から送信された操作手順に基づいて作成されることを特徴とする。
【発明の効果】
【００１２】
本発明によれば、通信装置端末から送信された操作手順に基づいて作成された操作情報を、通信端末装置の特定の操作に割り当てて、その通信端末装置の機能として容易に設定することができる。
【図面の簡単な説明】
【００１３】
【図１】本発明の実施の形態の携帯電話機の構成を示すブロック図である。
【図２】本発明が適用される無線通信システムの構成図である。
【図３】本発明の実施の形態のキー割当動作を示すフローチャートである。
【図４】本発明の実施の形態の携帯電話機の操作を示すフローチャートである。
【図５】本発明の実施の形態における携帯電話機の画面遷移図である。
【図６】割り当てられたキーを操作したときの携帯電話機の動作を示すフローチャートである。
【発明を実施するための形態】
【００１４】
次に、本発明の実施の形態について図面を参照して説明する。
【００１５】
図１は、本発明の実施の形態の携帯電話機の主要な構成を示すブロック図である。
【００１６】
アンテナ１は無線部２に接続されており、無線基地局からの電波を受信し、無線基地局に対し電波を送信する。
無線部２は送信部３及び受信部４により構成され、送信部３はアンテナ１から送信する高周波信号を生成する。
受信部４はアンテナ１で受信した高周波信号に増幅、周波数変換等をして、ベースバンド信号として音声処理部５に出力する。
このベースバンド信号は音声処理部５内の変復調部にて音声信号に復調される。
また、変復調部では送話部７からの音声信号を変調し、ベースバンド信号を生成する。
【００１７】
制御部６は、無線部２、表示部９、操作部１０等、携帯電話機の各部を制御する。
無線部２に対しては、送受信周波数や送信電波の出力を制御する。
また、制御部６は、表示部（液晶表示器）９に対して表示データを送り、操作部（キーボード）１０からの、文字、数字の入力、携帯電話機への動作の指示を受け付ける。
【００１８】
記憶部１１には、携帯電話機の識別番号、制御部６にて実行されるプログラム、メモリダイヤル、使用者により設定されるファンクションキー等の情報が保存されている。
この記憶部１１は、携帯電話機の電源が遮断されても記憶内容を保持する必要があるので、不揮発性メモリ（例えば、フラッシュメモリ）で構成するとよい。
また、携帯電話機の主記憶部とは別の記憶領域に、ファンクションキーに対応して設定される機能を記憶するように構成してもよく、この記憶領域は後述する外部記憶部１４に設けてもよい。
【００１９】
本発明の特徴となるファンクションキーに設定される機能の記憶部１１への記憶は、ファンクションキー毎に設定された記憶領域に、ファンクションキーに割り当てる機能を実行する実行形式のプログラムを保存する、又は、ファンクションキーに割り当てる機能を実行するプログラムを呼び出す情報を記憶することにより実現される。
【００２０】
外部記憶部１４は、携帯電話機に着脱可能に構成され、携帯電話機に設けられた接続端子に装着されて、携帯電話機の記憶部の一部を構成する。
この外部記憶部１４には、使用者を認識する識別番号（電話番号）や、メモリダイヤル、使用者が設定したファンクションキー等の情報を保存することができ、使用者が別の携帯電話機に外部記憶部１４を装着して、その携帯電話機を自己の携帯電話機として使用することができる。
すなわち、別の携帯電話機でファンクションキーに設定した機能を外部記憶部１４に保持するので、外部記憶部１４を着脱することによりファンクションキーに同一の機能を設定して、他の携帯電話機を自己の電話機と同様の使い勝手で使用できる。
【００２１】
表示部９は液晶表示パネル及びＬＣＤドライバで構成されており、制御部６からの表示指令信号により、携帯電話機の動作状態や、操作部１０に入力された情報、無線回線を介して取得した文字、図形の情報等を表示する。
【００２２】
操作部１０はキースイッチで構成されており、１〜９、０、＊、＃のダイヤルキーと複数のファンクションキーとを有している。
このファンクションキーには使用者が任意に機能を設定できるファンクションキーが含まれており、所定の登録操作により自己の希望する機能をファンクションキーに割り当てることができる。
【００２３】
この使用者が任意に機能を設定できるファンクションキーのうち一部のキーの機能を設定変更できるようにしてもよいし、全てのキーの機能を設定変更できるようにしてもよい。
さらに、使用者が携帯電話機を購入したときにはファンクションキーには一切機能が設定されておらず、使用者が操作情報を転送してファンクションキーの機能を設定するようにしてもよい。
【００２４】
インターフェース部１２は、携帯電話機にデータを入出力するための接続端子であり、コネクタが接続される。
【００２５】
外部通信部１３は、無線基地局を介さないで、他の携帯電話機との間で通信を行うもので、赤外線（例えば、ＩｒＤＡ）又は無線（例えば、Ｂｌｕｅｔｏｏｔｈ）による通信を可能とするものである。
具体的には、外部通信部１３は、通信プロトコルの制御を行う外部通信制御部（ＣＰＵ等）と、赤外線発光・受光部（又は無線部）により構成されている。
さらに、携帯電話機は、音響信号を電気信号に変換する送話部７、電気信号を音響信号に変換する受話部８を有している。
【００２６】
図２は、本発明が適用される無線通信システムの構成図である。
【００２７】
携帯電話機２１と基地局装置２２とは無線回線により接続されている。
基地局装置２２は、公衆電話回線網（ＰＳＴＮ）２３に接続されるとともに、サーバ２４に接続されている。
すなわち、基地局装置２２は、基地局装置２２と携帯電話機２１とで送受信される音声信号を公衆電話回線網２３との間で送受信し、データ信号をサーバ２４との間で送受信するように制御する。
【００２８】
携帯電話機２１が、所定の情報を取得したい旨の信号を基地局装置２２に送信すると、この信号を受信した基地局装置２２は、携帯電話機２１からの信号をサーバ２４に伝える。
情報の要求を受けたサーバ２４は、携帯電話機２１に提供する情報を基地局装置２２に送信する。
この情報は基地局装置２２から無線回線を通じて携帯電話機２１に送信され、携帯電話機２１の表示部９にはサーバ２４から取得した情報が表示される。
【００２９】
本発明の実施の形態では、携帯電話機２１は所定のサイト（サーバ２４）に対して、携帯電話機２１の操作手順を送信し、このサイトから該操作手順に関する操作情報を取得する。
具体的には、このサイトに接続して、携帯電話機２１に所望の操作をして、サーバ２４からその操作に対応する操作情報を受信する。
この、操作情報を生成して提供するサイト（サーバ）は通信会社（携帯電話通信事業者）が設置してもよいし、携帯電話メーカが設置してもよい。
【００３０】
サーバ２４は、ＣＰＵ２５、記憶部（メモリ、ハードディスク装置）２６、インターフェース部（Ｉ／Ｆ）２７により構成されており、携帯電話機２１から送信されてきた、携帯電話機２１に入力された操作手順の情報に基づいて、携帯電話機２１に設定する操作情報を生成する。
サーバ２４をインターネット２５に接続して、他のサーバとの間で情報のやりとりができるように構成してもよい。
そして、サーバ２４に接続された他のサーバにて操作情報を生成するように構成してもよい。
【００３１】
ＣＰＵ２５は、記憶部２６のメモリに記憶されたプログラムに従って演算をして、記憶部２６に記憶されたデータを読み書きし、インターフェース部２７を経由してデータを送受信する。
【００３２】
記憶部２６のメモリは、ＲＡＭ及びＲＯＭで構成され、ＣＰＵ２５で動作するプログラムや、ＣＰＵ２５の動作に必要なデータが一時的に保存される。
また、記憶部２６のハードディスク装置は、ＣＰＵ２５で動作するプログラムや、ＣＰＵ２５にて読み書きされるデータが記憶されている。
【００３３】
インターフェース部２７は、サーバ２４の内部信号を基地局装置２２と交換できる信号に変換して、サーバ２４と基地局装置２２とを接続する。
また、サーバ２４の内部信号を他のコンピュータ装置（ＥＲＰサーバ２６）と交信可能な信号に変換して、サーバ２４をインターネットを介して他のサーバ２６と接続するように構成することもできる。
【００３４】
図３は、本発明の実施の形態のキー割当動作を示すフローチャートである。
【００３５】
携帯電話機２１がサーバ２４に接続され、キー割当サイトにアクセスすると（Ｓ１０１）、サーバ２４では操作設定プログラムが起動する（Ｓ１０２）。
この操作設定プログラムは、携帯電話機２１からの操作入力に対して、携帯電話機２１の動作を擬似的に実行（シュミレーション）するとともに、携帯電話機２１の特定のキーに割り当てて設定される操作情報を生成する。
【００３６】
そして、携帯電話機２１から操作記録の開始が選択されると（Ｓ１０３）、サーバ２４は、操作記録を開始する旨を表示する画面を携帯電話機２１に送信して、携帯電話機２１は表示部９にそのメッセージ画面を表示する。
【００３７】
そして、携帯電話機２１の操作部１０に、特定のキーに割り当てる操作手順に従った操作が入力されると、携帯電話機２１からサーバ２４に、そのキー操作が送信される（Ｓ１０４）。
この操作信号を受けたサーバ２４は、この操作に対する携帯電話機２１の動作を擬似的に実行し、表示部９にサーバ２４からの情報に基づいて表示をする表示画面データを生成して、携帯電話機２１の表示部９に擬似画面を表示する。
【００３８】
そして、操作記録の終了の操作（例えば、「終了キー」の押下）がされたかを検出する（Ｓ１０６）。
操作記録の終了の操作がされなければ（Ｓ１０６で"ＮＯ"）、ステップＳ１０４に戻り、携帯電話機２１に次の操作が入力されるのを検出する。
一方、操作記録の終了の操作がされると（Ｓ１０６で"ＹＥＳ"）、ステップＳ１０７に進む。
【００３９】
ステップＳ１０７では、ステップＳ１０４〜Ｓ１０６にて入力された操作を携帯電話機２１の機能として設定可能な実行形式のファイルである操作情報を生成する。
そして、サーバ２４から携帯電話機２１に転送して、携帯電話機２１とサーバ２４との接続を解除する（Ｓ１０８）。
なお、サーバ２４で実行形式のファイルを生成せずに、操作手順をまとめて操作情報として携帯電話機２１に送信し、携帯電話機２１で実行可能形式のファイルを作成してもよい。
【００４０】
また、サーバ２４が操作情報を携帯電話機２１に提供する際に、操作情報を携帯電話機２１に提供した回数を操作情報の種類別に計数するように構成してもよい。
【００４１】
そして、サーバ２４で作成された操作情報を割り当てるファンクションキーを選択し、携帯電話機２１に入力する（Ｓ１０９）。
そして、そのキーの情報に基づき、サーバ２４はステップＳ１０９にて指定されたファンクションキーに関連させて操作情報を記憶部に書き込んで、操作情報を特定のキーの機能として設定する（Ｓ１１０）。
【００４２】
図４は、前述したキー割当動作における携帯電話機の操作を示すフローチャートであ
り、図５は、図４に示す動作における携帯電話機の画面遷移図である。
図４では、特定の宛先に送信するメールを作成する機能を特定のファンクションキーに
割り当てる際の操作を示す。
図４のフローチャート中に示されている画面の記号は、 図５に示されている画面に対応する。
【００４３】
なお、図５に示すように、操作に対応した擬似画面の他に、画面の最下段に携帯電話
機２１の操作履歴が表示されている。
すなわち、○は決定キーが操作されたこと、▽は下スクロールキーが操作されたことを表し、○▽○は決定、下スクロール、決定の順にキーが操作されたことを表す。
【００４４】
携帯電話機２１においてサーバ２４へアクセスする操作をし、接続先にキー割当サイトを選択して、キー割当サイトにアクセスする（Ｓ１２１）。
そして、携帯電話機２１から操作記録の開始を選択すると（Ｓ１２２）、その信号がサーバ２４に送られ、サーバ２４は操作記録の開始画面を携帯電話機２１に送信し、携帯電話機２１はこの開始画面（画面Ａ）を表示する。
【００４５】
次に、携帯電話機２１の操作部１０に設けられたメールボタンを操作して、メール機能を選択してメール機能を起動すると（Ｓ１２３）、そのキー操作がサーバ２４に送られる。
これに対し、サーバ２４はこの操作に対応する画面を携帯電話機２１に送信し、携帯電話機２１はＥメールメニュー画面を表示する。
この画面Ｂは携帯電話機２１を実際に操作したときに表示される画面と同じ内容を含むものであるが、携帯電話機２１がキー操作に対応して画面を生成しているのではなく、キー操作に対応した動作をサーバ２４で擬似的に実行して、携帯電話機２１が表示すべき画面の情報をサーバ２４で生成している。
携帯電話機２１は、サーバ２４から送信された画面情報により表示部９にキー操作に対応した擬似的な画面を表示する。
【００４６】
次に、Ｅメールメニューにおいて、メール作成を選択して、決定キーを操作する（Ｓ１２４、画面Ｂ）。
この操作に対して、サーバ２４はメール作成画面を送出する。
そして、メール作成画面で、入力項目としてメールの宛先を選択し、決定キーを操作して、入力項目を選択する（Ｓ１２５、画面Ｃ）。
この操作に対して、サーバ２４は宛先入力画面を送出する。
そして、宛先入力画面で、電子メールの宛先となる電子メールアドレス（ 図５では、▲
▲▲▲＠☆☆．ｎｅｔ）を入力する（Ｓ１２６、画面Ｄ）。
【００４７】
続いて、スクロールキーを操作してカーソルを下に移動させ、件名を選択し、決定キーを操作する（Ｓ１２７）。
そして、サーバ２４から送信されてくる件名入力画面で、電子メールの件名（ 図５では
、週末の予定の件）を入力して、決定キーを操作する（Ｓ１２８）。
この操作に対して、サーバ２４から送信される画面情報により、今までの操作で入力された項目が表示されたメール作成画面（画面Ｅ）が表示される。
【００４８】
終了キーが操作されることにより、操作記録を終了して（Ｓ１２９）、その旨をサーバに送信する。
そして、サーバ２４は操作記録の終了メッセージ画面を送出し、携帯電話機２１に操作記録終了画面（画面Ｆ）を表示する。
そして、サーバ２４は、次のステップで指定されるキーに割り当てる操作情報を作成して、転送する。
【００４９】
その後、操作記録終了画面（画面Ｆ）の指示に従い、記録した操作を割り当てるキー（例えば、ファンクションキーＦ３）を選択して指定する（Ｓ１３０）。
携帯電話機は、指定されたファンクションキーにサーバ２４から送られてきた操作情報を割り当てて、記憶部に記憶する。
そして、携帯電話機２１はキー割当終了画面（画面Ｇ）を表示する。
【００５０】
図６は、割り当てられたキーを操作したときの携帯電話機の動作を示すフローチャー
トである。
【００５１】
メール作成機能が割り当てられているＦ３キーを操作すると（Ｓ１４１）、宛先、件名が既に入力されているメール作成画面が図５（Ｅ）に示すように開き（Ｓ１４２）、直ぐに、本文を入力することができる。
そしてメールの本文を入力するだけで（Ｓ１４３）、メールを送信することができる（Ｓ１４４）。
【００５２】
このように、本発明の実施の形態では、他の通信装置２２を介してサーバ装置２４との間で通信を行う通信端末装置２１において、表示部９と、複数のキーを備えた操作部１０と、を有し、サーバ装置２４において作成された操作情報を取得する操作情報取得手段と、サーバ装置２４において作成された操作情報を、携帯電話機１の特定のキーに割り当てて、携帯電話機１の特定の機能として設定する機能設定手段とが構成されるので、一連の手順の操作を簡単な操作でまとめて、特定のキーに割り当てることができ、容易に専用の機能を備えたキーを登録することができる。
【００５３】
また、操作部１０に入力された操作手順に対し、携帯電話機２１の動作を模擬的に実行（シュミレーション）し、携帯電話機２１に表示されるべき画面の情報を生成するので、特定のキーの登録時に表示部９にその操作に対応した画面が表示されることから、特定のキー登録時の誤操作を防止することができる。
【符号の説明】
【００５４】
１  アンテナ
２  無線部
３  送信部
４  受信部
５  音声処理部
６  制御部
７  送話部
８  受話部
９  表示部（液晶表示部）
１０  操作部（キーボード）
１１  記憶部（ＲＡＭ、ＲＯＭ）
１２  インターフェース（Ｉ／Ｆ）
１３  外部通信部
１４  外部記憶部（ＳＩＭ）
２１  携帯電話機
２２  基地局装置
２３  公衆電話回線網（ＰＳＴＮ）
２４  サーバ
２５  ＣＰＵ
２６  記憶部
２７  インターフェース部（Ｉ／Ｆ）
【図１】
0005665659.tif 000002
【図２】
0005665659.tif 000003
【図３】
0005665659.tif 000004
【図４】
0005665659.tif 000005
【図５】
0005665659.tif 000006
【図６】
0005665659.tif 000007